(57)【要約】【課題】外気温度に合わせて適切な風量調整を行う。【解決手段】空調装置１００では、コントローラ１０は、外気温センサ１７によって検出された外気温度Ｔａｍと出口温度センサ１８によって検出された冷媒温度との温度差ΔＴを求め、温度差ΔＴが予め定められた閾値αよりも大きい場合は、室外ファン３２の室外熱交換器２３への風量を増加させ、温度差ΔＴが予め定められた閾値αよりも小さい場合は、室外ファン３２の室外熱交換器２３への風量を減少させる。さらに、空調装置１００では、閾値αは、外気温センサ１７によって検出された外気温度Ｔａｍに基づいて設定される。【選択図】図１
2019010994.tif 000002
【特許請求の範囲】
【請求項１】
空調装置であって、
冷媒を圧縮する圧縮機と、
冷媒と外気との間で熱交換を行う室外熱交換器と、
前記室外熱交換器に風を送る室外ファンと、
前記圧縮機にて圧縮された冷媒と内気との間で熱交換を行う室内熱交換器と、
前記室外熱交換器と前記室内熱交換器との間に設けられ冷媒を減圧膨張させる膨張弁と、
外気温度を検出する外気温度検出器と、
前記室外熱交換器の出口における冷媒温度を検出する冷媒温度検出器と、
前記室外ファンの駆動を制御する制御部と、を備え、
前記制御部は、
前記外気温度検出器によって検出された外気温度と前記冷媒温度検出器によって検出された冷媒温度との温度差を求め、
前記温度差が予め定められた閾値よりも大きい場合は、前記室外ファンの前記室外熱交換器への風量を増加させ、
前記温度差が予め定められた前記閾値よりも小さい場合は、前記室外ファンの前記室外熱交換器への風量を減少させ、
前記閾値は、前記外気温度検出器によって検出された外気温度に基づいて設定される、
ことを特徴とする空調装置。
【請求項２】
請求項１に記載の空調装置であって、
前記制御部は、前記外気温度検出器によって検出された外気温度が低いほど小さくなるように前記閾値を設定する、
ことを特徴とする空調装置。
【発明の詳細な説明】
【技術分野】
【０００１】
本発明は、空調装置に関するものである。
【背景技術】
【０００２】
特許文献１には、暖房時に、外気温度を含めたパラメータによって決まるＴＸ０ｂａｓｅと室外熱交換器の冷媒蒸発温度ＴＸ０との差ΔＴＸ０に応じて、室外熱交換器への風量を制御する空調装置が記載されている。
【先行技術文献】
【特許文献】
【０００３】
【特許文献１】特開２０１５−２１５１０１号公報
【発明の概要】
【発明が解決しようとする課題】
【０００４】
特許文献１に記載の空調装置では、外気温度が低いときに吸熱させるためには、ΔＴＸ０が小さいときに風量を上げる方が良い。そこで、ΔＴＸ０が小さいときに風量を上げるように制御することが考えられる。しかしながら、外気温度が高いときに吸熱させるためには、外気温度が低いときほど風量を必要としない。このため、外気温度が低いときに合わせて風量を設定してしまうと、外気温度が高いときに無駄に風量を上げてしまうため、その分エネルギーを無駄にしてしまう。これに対し、外気温度が高いときに合わせて風量を設定してしまうと、外気温度が低いときに吸熱量が不足してしまうおそれがある。
【０００５】
本発明はこのような技術的課題に鑑みてなされたもので、外気温度に合わせて適切な風量調整を行う空調装置を提供することを目的とする。
【課題を解決するための手段】
【０００６】
本発明のある態様によれば、空調装置は、冷媒を圧縮する圧縮機と、冷媒と外気との間で熱交換を行う室外熱交換器と、室外熱交換器に風を送る室外ファンと、圧縮機にて圧縮された冷媒と内気との間で熱交換を行う室内熱交換器と、室外熱交換器と室内熱交換器との間に設けられ冷媒を減圧膨張させる膨張弁と、外気温度を検出する外気温度検出器と、室外熱交換器の出口における冷媒温度を検出する冷媒温度検出器と、室外ファンの駆動を制御する制御部と、を備え、制御部は、外気温度検出器によって検出された外気温度と冷媒温度検出器によって検出された冷媒温度との温度差を求め、温度差が予め定められた閾値よりも大きい場合は、室外ファンの室外熱交換器への風量を増加させ、温度差が予め定められた閾値よりも小さい場合は、室外ファンの室外熱交換器への風量を減少させ、閾値は、外気温度検出器によって検出された外気温度に基づいて設定される、ことを特徴とする。
【発明の効果】
【０００７】
上記態様では、閾値を外気温温度検出器によって検出された外気温度に基づいて設定する。そして、制御部は、温度差が閾値よりも大きい場合は、室外ファンの室外熱交換器への風量を増加させ、温度差が閾値よりも小さい場合は、室外ファンの室外熱交換器への風量を減少させる。これにより、外気温度に応じて適切に風量を制御することができる。
【図面の簡単な説明】
【０００８】
【図１】図１は、本発明の実施形態に係る空調装置の構成図である。
【図２】図２は、空調装置の制御ブロック図である。
【図３】図３は、冷房運転時における空調装置の冷媒の流れを説明する図である。
【図４】図４は、暖房運転時における空調装置の冷媒の流れを説明する図である。
【図５】図５は、暖房運転時における室外ファンの風量制御に係るフローチャートである。
【図６】図６は、暖房運転時における外気温度と閾値との関係を示すマップである。
【図７】図７は、暖房運転時における温度差と室外ファンの風量との関係を示すマップである。
【発明を実施するための形態】
【０００９】
以下、図面を参照して、本発明の実施形態に係る空調装置１００について説明する。
【００１０】
まず、図１及び図２を参照して、空調装置１００の全体構成について説明する。
【００１１】
空調装置１００は、冷媒が循環する冷凍サイクル２と、温水が循環する高水温サイクル４と、車室内の空調に利用する空気（内気）が通過するＨＶＡＣ（Ｈｅａｔｉｎｇ  Ｖｅｎｔｉｌａｔｉｏｎ  ａｎｄ  Ａｉｒ  Ｃｏｎｄｉｔｉｏｎｉｎｇ）ユニット５と、弁の動作などを制御する制御部としてのコントローラ１０と、を備える。空調装置１００は、冷暖房可能なヒートポンプシステムである。空調装置１００は、車両（図示省略）に搭載されて車室（図示省略）内の空調を行う。例えば、冷媒にはＨＦＯ−１２３４ｙｆが用いられ、温水には不凍液が用いられる。
【００１２】
冷凍サイクル２は、圧縮機としてのコンプレッサ２１と、水冷コンデンサ２２と、室外熱交換器２３と、リキッドタンク２４と、エバポレータ２５と、気液分離器としてのアキュムレータ２６と、これらを冷媒が循環可能となるように接続する冷媒流路２０と、を備える。
【００１３】
コンプレッサ２１は、ガス状冷媒を吸入し圧縮する。これにより、ガス状冷媒は高温高圧になる。
【００１４】
水冷コンデンサ２２は、暖房時に、コンプレッサ２１を通過した後の冷媒を凝縮させる凝縮器として機能する。水冷コンデンサ２２は、コンプレッサ２１によって高温高圧となった冷媒と高水温サイクル４を循環する温水との間で熱交換を行い、冷媒の熱を温水に伝達する。水冷コンデンサ２２は、高水温サイクル４を循環する温水を介して、空調に用いられる空気を加熱する。
【００１５】
室外熱交換器２３は、例えば車両のエンジンルーム（電気自動車においてはモータルーム）内に配置され、冷媒と外気との間で熱交換を行う。室外熱交換器２３は、冷房時には凝縮器として機能し、暖房時には蒸発器として機能する。室外熱交換器２３には、車両の走行や室外ファン３２の回転によって、外気が導入される。
【００１６】
リキッドタンク２４は、冷房時に、室外熱交換器２３を通過して凝縮した冷媒を一時的に溜めると共に、冷媒をガス状（気相）冷媒と液状（液相）冷媒とに気液分離する。リキッドタンク２４からは、分離した液状冷媒のみが第２膨張弁２８へと流れる。
【００１７】
エバポレータ２５は、ＨＶＡＣユニット５内に配置され、冷房時に、エバポレータ２５を通過して空調に用いられる空気の熱を冷媒に吸収させることで、冷媒を蒸発させる。エバポレータ２５によって蒸発した冷媒は、第２膨張弁２８を通ってアキュムレータ２６へ流れる。
【００１８】
アキュムレータ２６は、第２開閉弁３０とコンプレッサ２１との間に設けられる。アキュムレータ２６は、冷媒流路２０を流れる冷媒を一時的に溜めると共に、ガス状冷媒と液状冷媒とに気液分離する。アキュムレータ２６からは、分離したガス状冷媒のみがコンプレッサ２１へと流れる。
【００１９】
冷媒流路２０には、冷媒を減圧膨張させる第１膨張弁２７と、第２膨張弁２８と、が設けられる。また、冷媒流路２０には、開閉によって冷媒の流れを切り換える第１開閉弁２９と、第２開閉弁３０と、が配置される。
【００２０】
第１膨張弁２７は、水冷コンデンサ２２と室外熱交換器２３との間に配置され、水冷コンデンサ２２で凝縮した冷媒を減圧膨張させる。第１膨張弁２７には、例えば、固定絞りや可変絞りが用いられる。固定絞りには、例えば、オリフィスやキャピラリーチューブを用いることができ、予め使用頻度の高い特定の運転条件に対応するように絞り量が設定される。また、可変絞りには、例えば、段階的に又は無段階的に開度を調節できる電磁弁を用いることができる。
【００２１】
第２膨張弁２８は、リキッドタンク２４とエバポレータ２５との間に配置され、リキッドタンク２４から導かれた液状冷媒を減圧膨張させる。第２膨張弁２８には、エバポレータ２５を通過した冷媒の温度に応じて開度が調節される温度式膨張弁が用いられる。
【００２２】
第１開閉弁２９は、冷房時に開かれ、暖房時に閉じられる。第１開閉弁２９が開かれると、コンプレッサ２１によって圧縮された冷媒は、水冷コンデンサ２２及び第１膨張弁２７をバイパスして、室外熱交換器２３へ直接流入する。一方、第１開閉弁２９が閉じられると、コンプレッサ２１によって圧縮された冷媒は、水冷コンデンサ２２及び第１膨張弁２７を通過して室外熱交換器２３へ流入する。
【００２３】
第２開閉弁３０は、暖房時に開かれ、冷房時に閉じられる。第２開閉弁３０が開かれると、室外熱交換器２３で蒸発した冷媒は、リキッドタンク２４，第２膨張弁２８，及びエバポレータ２５をバイパスして、アキュムレータ２６に直接流入する。一方、第２開閉弁３０が閉じられると、室外熱交換器２３で蒸発した冷媒は、リキッドタンク２４，第２膨張弁２８，及びエバポレータ２５を通過して、アキュムレータ２６に流入する。
【００２４】
高水温サイクル４は、ウォータポンプ４１と、ヒータコア４２と、補助加熱器４３と、水冷コンデンサ２２と、これらを温水が循環可能となるように接続する温水流路４０と、を備える。
【００２５】
ウォータポンプ４１は、温水流路４０内の温水を循環させる。
【００２６】
ヒータコア４２は、ＨＶＡＣユニット５内に配置され、暖房時に、ヒータコア４２を通過する空気に温水の熱を吸収させることで、空気を加熱する。
【００２７】
補助加熱器４３は、内部にヒータ（図示省略）を有し、通過する温水を加熱する。ヒータには、例えば、シーズヒータやＰＴＣ（Ｐｏｓｉｔｉｖｅ  Ｔｅｍｐｅｒａｔｕｒｅ  Ｃｏｅｆｆｉｃｉｅｎｔ）ヒータが用いられる。
【００２８】
ＨＶＡＣユニット５は、空調に利用する空気（内気）を冷却又は加熱する。ＨＶＡＣユニット５は、空気を送風するブロワ５２と、ヒータコア４２を通過する空気の量を調整するエアミックスドア５３と、これらを空調に利用する空気が通過可能となるように囲うケース５１と、を備える。ＨＶＡＣユニット５内には、ヒータコア４２とエバポレータ２５とが配置される。ブロワ５２から送風された空気は、ヒータコア４２及びエバポレータ２５内を流れる冷媒との間で熱交換を行う。本実施形態では、水冷コンデンサ２２及び高水温サイクル４が室内熱交換器に相当する。
【００２９】
ブロワ５２は、ＨＶＡＣユニット５内に空気を送風する送風機である。
【００３０】
エアミックスドア５３は、ＨＶＡＣユニット５内に配置されたヒータコア４２のブロワ５２側に設置される。エアミックスドア５３は、暖房時にヒータコア４２側を開き、冷房時にヒータコア４２側を閉じる。エアミックスドア５３の開度によって、空気とヒータコア４２内の温水との間の熱交換量が調節される。
【００３１】
空調装置１００には、吐出圧センサ１１と、蒸発器温度検出器としてのエバポレータ温度センサ１４と、水温センサ１６と、外気温度検出器としての外気温センサ１７と、冷媒温度検出器としての出口温度センサ１８と、が設置されている。
【００３２】
吐出圧センサ１１は、コンプレッサ２１の吐出側の冷媒流路２０に設置され、コンプレッサ２１にて圧縮されたガス状冷媒の圧力を検出する。
【００３３】
エバポレータ温度センサ１４は、ＨＶＡＣユニット５のエバポレータ２５の空気流れ下流側に設置され、エバポレータ２５を通過した空気の温度を検出する。なお、エバポレータ温度センサ１４は、エバポレータ２５に直接設置されてもよい。
【００３４】
水温センサ１６は、補助加熱器４３の出口付近の温水流路４０に設置され、補助加熱器４３を通過してヒータコア４２に導かれる温水の温度を検出する。
【００３５】
外気温センサ１７は、室外熱交換器２３に取り込まれる前の外気の温度を検出する。
【００３６】
出口温度センサ１８は、室外熱交換器２３の出口付近における冷媒温度を検出する。
【００３７】
コントローラ１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等によって構成され、ＲＯＭに記憶されたプログラムをＣＰＵによって読み出すことで、空調装置１００に各種機能を発揮させる。
【００３８】
図２に示すように、コントローラ１０には、吐出圧センサ１１と、エバポレータ温度センサ１４と、水温センサ１６と、外気温センサ１７と、出口温度センサ１８と、からの信号が入力される。なお、コントローラ１０には、図示しない他のセンサからの信号が入力されてもよい。
【００３９】
コントローラ１０は、入力された信号に基づいて、冷凍サイクル２の制御を実行する。すなわち、コントローラ１０は、図１に破線で示すように、コンプレッサ２１の出力を設定すると共に、第１開閉弁２９及び第２開閉弁３０の開閉制御、及び室外ファン３２の駆動制御（風量制御）を実行する。また、コントローラ１０は、図示しない出力信号を送信することで、高水温サイクル４やＨＶＡＣユニット５の制御を実行する。
【００４０】
次に、図３及び図４を参照して、空調装置１００の各空調運転モードについて説明する。
【００４１】
＜冷房モード＞
図３に示す冷房モードでは、冷媒流路２０の冷媒が、太実線で示すように循環する。
【００４２】
コントローラ１０は、第２開閉弁３０を閉じた状態にすると共に、第１開閉弁２９を開いた状態にする。これにより、コンプレッサ２１で圧縮されて高温高圧になった冷媒は、第１開閉弁２９を通ってそのまま室外熱交換器２３へと流れる。
【００４３】
室外熱交換器２３へ流れた冷媒は、室外熱交換器２３に導入される外気と熱交換を行い冷却された後、リキッドタンク２４を通って気液分離される。リキッドタンク２４の下流側に接続される第２膨張弁２８には、リキッドタンク２４にて気液分離された冷媒のうち液状冷媒が流通する。
【００４４】
その後、液状冷媒は、第２膨張弁２８で減圧膨張してエバポレータ２５へ流通し、エバポレータ２５を通過する際に空調に利用する空気の熱を吸収することで蒸発する。エバポレータ２５にて蒸発したガス状冷媒は、アキュムレータ２６を介して再びコンプレッサ２１へと流れる。
【００４５】
エバポレータ２５にて冷媒によって冷却された空気は、ＨＶＡＣユニット５の下流に流されて冷房風として用いられる。
【００４６】
なお、エバポレータ２５で空気を冷却することによって空気中の水蒸気を凝縮させ取り除いた後、ヒータコア４２で再加熱することによって、除湿風を得ることもできる（除湿モード）。
【００４７】
＜暖房モード＞
図４に示す暖房モードでは、いわゆる外気吸熱ヒートポンプ運転が実行され、冷媒流路２０の冷媒と温水流路４０の温水とが、太実線で示すようにそれぞれ循環する。
【００４８】
コントローラ１０は、第１開閉弁２９を閉じた状態にすると共に、第２開閉弁３０を開いた状態にする。これにより、コンプレッサ２１で圧縮され高温になった冷媒は、水冷コンデンサ２２へと流れる。
【００４９】
水冷コンデンサ２２へ流れた冷媒は、水冷コンデンサ２２の内部で温水を加熱することにより熱を奪われて低温になった後、第１膨張弁２７を通って減圧膨張することでさらに低温となって、室外熱交換器２３へと流れる。室外熱交換器２３へ流れた冷媒は、室外熱交換器２３に導入される外気との間で熱交換を行い加熱された後、そのまま第２開閉弁３０を通って、アキュムレータ２６へと流れて気液分離される。そして、アキュムレータ２６で気液分離された冷媒のうちガス状冷媒が、再びコンプレッサ２１へと流れる。
【００５０】
一方、水冷コンデンサ２２で冷媒によって加熱された温水は、循環してヒータコア４２に流れ、ヒータコア４２の周囲の空気を加熱する。加熱された空気は、ＨＶＡＣユニット５の下流側に流されることで、暖房風として用いられる。
【００５１】
なお、水冷コンデンサ２２で冷媒が十分に温水を加熱できない場合には、外気吸熱ヒートポンプ運転と併用して又は独立して補助加熱器４３を運転させることによって温水を加熱してもよい。
【００５２】
次に、図５から図７を参照して、暖房時における室外ファン３２の風量制御について説明する。図５は、暖房時における室外ファン３２の風量制御に係るフローチャートである。
【００５３】
ステップＳ１１では、外気温センサ１７によって外気温度Ｔａｍを検出する。外気温センサ１７によって検出された外気温度Ｔａｍのデータは、コントローラ１０に送信される。
【００５４】
ステップＳ１２では、出口温度センサ１８によって室外熱交換器２３の出口における冷媒温度Ｔｏｕｔを検出する。出口温度センサ１８によって検出された冷媒温度Ｔｏｕｔのデータは、コントローラ１０に送信される。
【００５５】
ステップＳ１３では、コントローラ１０は、外気温センサ１７によって検出された外気温度Ｔａｍと出口温度センサ１８によって検出された冷媒温度Ｔｏｕｔとの温度差ΔＴを求める。
【００５６】
ステップＳ１４では、コントローラ１０は、閾値αを設定する。具体的には、コントローラ１０は、図６に示す外気温度Ｔａｍと閾値αとの関係を示すマップを参照して、外気温センサ１７によって検出された外気温度Ｔａｍに対応した閾値αを選択し、設定する。
【００５７】
本実施形態では、図６に示すように、外気温度Ｔａｍが０℃以下では、閾値αは、外気温度Ｔａｍが低くなるほど小さくなるように設定される。また、外気温度が０℃以上では、閾値αは、一定になるように設定される。
【００５８】
ステップＳ１５では、コントローラ１０は、温度差ΔＴが閾値αより大きいかを判定する。温度差ΔＴが閾値αより大きければステップＳ１６に進み、温度差ΔＴが閾値αより小さければステップＳ１７に進む。
【００５９】
ステップＳ１６では、コントローラ１０は、室外ファン３２の室外熱交換器２３への風量を増加させる。具体的には、コントローラ１０は、図７に示す温度差ΔＴと室外ファン３２の風量との関係を示すマップを参照して、温度差ΔＴに対応した風量になるように室外ファン３２を制御する。
【００６０】
ステップＳ１７では、コントローラ１０は、室外ファン３２の室外熱交換器２３への風量を減少させる。具体的には、コントローラ１０は、図７に示す温度差ΔＴと室外ファン３２の風量との関係を示すマップを参照して、温度差ΔＴに対応した風量になるように室外ファン３２を制御する。
【００６１】
暖房運転時に、外気温度Ｔａｍが低温の場合（例えば、０℃以下）、冷媒の密度が小さくなり、冷媒の質量流量も小さくなる。このため、室外熱交換器２３において蒸発する冷媒への吸熱量が少なくなるので、吸熱効率が低下する。そこで、本実施形態では、コントローラ１０は、冷媒に吸熱させる熱量を増やすために、室外ファン３２の室外熱交換器２３への風量を増加させる。
【００６２】
これに対し、外気温度Ｔａｍが高温の場合（例えば、０℃以上）、外気温度Ｔａｍが低い場合と同様に風量を増加させても、冷媒に吸熱される熱量は増えない。このため、低温時と同様に室外ファン３２の風量を増加させても、エネルギーを無駄に消費してしまう。
【００６３】
そこで、空調装置１００では、コントローラ１０は、外気温センサ１７によって外気温度Ｔａｍに基づいて閾値αを設定する（ステップＳ１４）。具体的には、低温時には、高温時に比べて閾値αを小さくする。そして、コントローラ１０は、温度差ΔＴが閾値αよりも大きい場合は、室外ファン３２の室外熱交換器２３への風量を増加させ（ステップＳ１６）、温度差ΔＴが閾値αよりも小さい場合は、室外ファン３２の室外熱交換器２３への風量を減少させる（ステップＳ１７）。これにより、同じ温度差ΔＴであっても、低温時には高温時に比べ室外ファン３２の室外熱交換器２３への風量が多くなる。低温時の方が高温時に比べ暖房性能が要求される。したがって、このようにして風量を増加させることにより、低温時の暖房性能が向上するとともに、高温時には、風量を減少させるので、エネルギーを無駄に消費することがない。つまり、空調装置１００によれば、外気温度Ｔａｍに合わせて適切な風量調整を行うことができる。
【００６４】
以上の実施形態によれば、以下に示す効果を奏する。
【００６５】
空調装置１００では、コントローラ１０（制御部）は、外気温センサ１７によって検出された外気温度Ｔａｍと出口温度センサ１８によって検出された冷媒温度Ｔｏｕｔとの温度差ΔＴを求め、温度差ΔＴが予め定められた閾値αよりも大きい場合は、室外ファン３２の室外熱交換器２３への風量を増加させ、温度差ΔＴが予め定められた閾値αよりも小さい場合は、室外ファン３２の室外熱交換器２３への風量を減少させる。さらに、空調装置１００では、閾値αは、外気温センサ１７によって検出された外気温度Ｔａｍに基づいて設定される。
【００６６】
この構成では、閾値αが外気温センサ１７によって検出された外気温度Ｔａｍに基づいて設定されるので、外気温度に応じて適切に風量を制御することができる。したがって、室外ファン３２の風量を無駄に増やすことがないので、エネルギーを無駄にすることがない。
【００６７】
また、コントローラ１０（制御部）は、外気温センサ１７によって検出された外気温度Ｔａｍが低いほど小さくなるように閾値αを設定する。
【００６８】
この構成によれば、より適切に風量を制御することができるので、エネルギーの無駄をより省くことができる。
【００６９】
以上、本発明の実施形態について説明したが、上記実施形態は本発明の適用例の一部を示したに過ぎず、本発明の技術的範囲を上記実施形態の具体的構成に限定する趣旨ではない。
【００７０】
上記実施形態では、閾値αは、外気温センサ１７によって検出された外気温度Ｔａｍが低いほど小さくなるように設定されているが、外気温度Ｔａｍが低くなるにつれて、段階的に小さくなるようにしてもよい。
【００７１】
また、上記実施形態では、閾値αは、外気温度Ｔａｍが０℃以上の場合に、一定の値を取るように設定されているが、これに限らず、外気温度Ｔａｍが高くなるにつれて、閾値αを大きくするようにしてもよい。
【００７２】
上記実施形態では、空調装置１００が、高水温サイクル４を備える場合を例に説明したが、空調装置１００は高水温サイクル４を備えていなくてもよい。この場合には、水冷コンデンサ２２が室内熱交換器に相当する。
【符号の説明】
【００７３】
１００    空調装置
２        冷凍サイクル
４        高水温サイクル（室内熱交換器）
５        ＨＶＡＣユニット
１０      コントローラ（制御部）
１７      外気温センサ（外気温度検出器）
１８      出口温度センサ（出口温度検出器）
２１      コンプレッサ（圧縮機）
２２      水冷コンデンサ（室内熱交換器）
２３      室外熱交換器
２７      第１膨張弁
２８      第２膨張弁
３２      室外ファン
【図１】
2019010994.tif 000003
【図２】
2019010994.tif 000004
【図３】
2019010994.tif 000005
【図４】
2019010994.tif 000006
【図５】
2019010994.tif 000007
【図６】
2019010994.tif 000008
【図７】
2019010994.tif 000009